(57)【要約】【課題】放送時間が重複する番組を同時間に視聴するための放送信号の減衰が無く受信できるテレビ放送受信装置と将来のデジタル放送の受信を考慮したテレビ放送受信装置を提供すことを目的とする。【解決手段】放送信号の分配ロスを補う増幅回路を内蔵したアンテナ入力回路を持つ第１のチューナーユニット１０と、第１チューナーユニット１０の一つのアンテナ出力端子と同軸ケーブル１３等で接続された第２チューナーユニット１１を設けることで、放送時間が重複する番組を同時間に容易に視聴できる。【選択図】図１
2005130240.tif 000002
【特許請求の範囲】
【請求項１】
アンテナからの放送信号が入力される第１のチューナ手段と、前記第１のチューナ手段に接続された第２のチューナ手段とからなるチューナ装置であって、第１のチューナ手段には、前記アンテナから入力される放送信号を分配する第１の分配手段と、前記第１の分配手段で分配された一方の放送信号を増幅する第１の増幅手段と、前記第１の増幅手段からの放送信号を分配する第２の分配手段と、前記第２の分配手段で分配された一方の放送信号を増幅する第２の増幅手段と、前記第２の分配手段で分配された他方の放送信号を増幅する第３の増幅手段と、前記第２の増幅手段で増幅された放送信号を選局する選局手段と、前記第３の増幅手段で増幅された放送信号を前記第２のチューナ手段に出力する出力手段とを備えたことを特徴とするチューナ装置。
【請求項２】
アンテナからの放送信号が入力され第１の放送信号を受信する第１のチューナ手段と、前記第１のチューナ手段に接続され第２の放送信号を受信する第２のチューナ手段と、前記第１のチューナ手段で受信した放送信号を記録媒体に記録する第１の記録手段と、前記第２のチューナ手段で受信した放送信号を記録媒体に記録する第２の記録手段とを備えたことを特徴とする記録装置。
【請求項３】
第１のチューナ手段の電源ＯＮ／ＯＦＦ制御を行う第１の電源制御手段と、第２のチューナ手段の電源ＯＮ／ＯＦＦ制御を行う第２の電源制御手段と、前記第１及び第２の電源制御手段の動作を制御する制御手段とを備え、前記制御手段は、前記第１及び第２の電源制御手段を制御して、前記第１及び第２のチューナ手段を各々独立して電源ＯＮ／ＯＦＦ制御することを特徴とする請求項１記載のチューナ装置。
【請求項４】
アンテナからの放送信号が入力される第１のチューナ手段と、前記第１のチューナ手段に接続された第２のチューナ手段とからなるチューナ装置であって、前記第１及び第２のチューナ手段で受信可能なチャンネルを初期設定する際に前記第１のチューナ手段で選局したチャンネルを記憶可能な第１の記憶手段と、前記第２のチューナ手段で選局したチャンネルを記憶可能な第２の記憶手段と、前記第１及び第２の記憶手段に対するチャンネルの記憶動作を各々独立して制御可能な制御手段とを備えたことを特徴とする請求項３記載のチューナ装置。
【請求項５】
制御手段は、第１の記憶手段に記憶したチャンネルと、第２の記憶手段に記憶したチャンネルとを同一情報にするよう制御することを特徴とする請求項４記載のチューナ装置。
【請求項６】
制御手段は、チャンネル初期設定の際、全てのチャンネルを複数のチャンネル郡に分割し、第１のチャンネル郡を第１のチューナ手段で選局し第１の記憶手段に記憶し、第２のチャンネル郡を第２のチューナ手段で選局し第２の記憶手段に記憶することを特徴とする請求項４記載のチューナ装置。
【請求項７】
第１のチューナ手段に第２のチューナ手段を内蔵したことを特徴とする請求項１，２，４に記載のチューナ装置及びそれを用いた記録装置。
【発明の詳細な説明】
【技術分野】
【０００１】
本発明は、放送時間が重複したする番組をそれぞれ視聴するためのテレビ放送受信装置とそのテレビ放送受信装置における、周辺回路を含む制御システムに関するものである。
【背景技術】
【０００２】
テレビ放送の多チャンネル化に伴い、重複する時間において別々の放送チャンネルの番組を同時間に視聴する需要が増加している。例えば、テレビにおいて各放送チャンネルを放送信号入力のアンテナ回路、選局するためのチューナー回路部、中間周波数に変換するＩＦ回路部、ＩＦ信号を映像・音声信号にする復調回路部、いわゆるテレビ放送受信装置（以下チューナーと略称する）を２つ内蔵し、第１のチューナーでメイン番組を受信すると同時に第２のチューナーで別のチャンネル番組を受信し、テレビ画面上にメイン番組と別のチャンネル番組を同時に視聴することができるテレビがある。また、テレビ放送のような動画を記録する媒体機器として、磁気記録装置（以下ＶＴＲと略称する）、ハードディスクレコーダー（以下ＨＤＤと略称する）、ＤＶＤレコーダー等があるが、昨今は記録媒体を一つの機器に２つ以上内蔵した、例えば、ＨＤＤとＤＶＤレコーダーを一体化させた機器（以下、記録融合商品と略称する）が需要を伸ばしている。このような記録媒体を２つ以上有した機器において前記した、重複する時間において別々の放送チャンネル番組をそれぞれの記録媒体で録画したいという需要が伸びることが充分考えられる。それを実現させるためには、ひとつの機器内に２つのチューナーを内蔵することが必須である。（例えば特開２００２−３３０３７５参照。）。
【０００３】
しかし、テレビ放送を屋外・屋内アンテナで受信し、その放送信号が通過可能な信号ケーブル（以下同軸ケーブルと略称する）を用いて、テレビ機器のアンテナ入力に放送信号を入力し受信している（図９（ａ））参照）。その一般視聴者の受信システムに記録融合商品を接続する放送方法は、図９（ｂ）の様に、テレビと同軸ケーブルの間に記録融合商品を設置するのが一般的な接続であると考えられるので、記録融合商品には、アンテナの入力端子と、その入力された放送信号をテレビセット等へ出力するためのアンテナ出力端子が必要である。
【０００４】
例えば、図７（ａ）の従来例に示すテレビに内蔵されているチューナー回路システムを示す、１はアンテナ入力端子、２は信号２分配回路で放送信号を２つの経路に分け、その出力信号は７のチューナー／ＩＦ部１と８のアンテナ出力端子１から放送信号を１１のチューナー／ＩＦ部２へ供給するチューナーシステムであり、テレビ等の外部の放送受信機器へ信号を供給するアンテナ出力端子は必要としない。いわゆる「アンテナ１入力―出力２系統」のアンテナ分配の機能が一般である。よって、このチューナーシステムは前記した記録融合商品には使用できない。つまり、記録融合商品のチューナーシステムにおいては、テレビ等の外部の放送受信機器へ放送信号を供給するためのアンテナ出力端子が必須であることから「アンテナ１入力−出力３系統」のアンテナ分配回路機能が必要となる。
【０００５】
それを実現させるためには、図７（ｂ）の従来例に示すように、「アンテナ１入力−出力３系統」の機能を有した別のアンテナユニットを用いることが容易に考えられる。しかし、この場合、分配回路を２つ有するので、その分配回路を通過することで放送信号が６ｄＢ以上減衰（一つの分配回路で理論的に３ｄＢの減衰が生じる）し放送受信感度が劣化してしまう、いわゆる放送電波が弱い地域において放送を受信した場合、受信映像にノイズが出やすい現象が発生するという受信感度劣化の欠点がある。又、２つのチューナーを搭載する際、どうしても１個増加に伴い消費電力が増加する欠点と構成面において、図８に示す様に、アンテナユニットと第１チューナーユニット１１と第２チューナーユニット１５を有し、機器へ内蔵する際に過大は実装面積が必要となる、又、それぞれユニットを接続するためには、１３と１５の２本の同軸ケーブル必要となり、非常に高い構成コストが発生する欠点がある。
【０００６】
更に、２つ以上ののチューナーを同一機器内へ内蔵した場合の性能課題の一つとして、チューナーがチャンネルを受信した時に必ず発生する局部発振周波数等（以下不要成分と略称する）が互いのチューナーへ流入し、受信映像に妨害が発生することがある。この妨害トの対策においては、不要成分の流入・流出を遮蔽する目的で、シールドケースの追加、又は回路の信号ラインに妨害阻止用電気部品、フィルター回路をいれる等妨害を減衰させるための電気部品の追加が発生するのが現状で、大きな対策コストと対策への時間が発生している。
【特許文献１】特開２００２−３３０３７５号公報
【特許文献２】特開２００２−３５３７８０号公報
【発明の開示】
【発明が解決しようとする課題】
【０００７】
しかしながら上記従来の構成では、記録融合商品等への２つのチューナー搭載において、アンテナ分配回路での放送信号の減衰によることで、受信感度が落ちることと、商品設計においてチューナーを２つ内蔵することでの消費電力の増加、又、構成面と妨害排除に対し過大なコストが発生するという問題が発生する。
【０００８】
本発明は、上記問題に鑑み、分配回路で発生する信号ロスを補うための増幅回路を設けているので、受信感度を落とすこと無く良好な受信が可能となる利点がある。且つ、その回路とチューナー回路を１枚のプリント基板内に収め、更に一つのシールドケースに内蔵して１ユニット化しているので構成面の簡素化を図ることができる。又  互いのチューナーを動作させるために必要な、電源回路、制御マイコン等の回路をそれぞれ独立に構成したことで、チューナー間での不要成分の流入・流出を互いに防ぐことができる、又ＯＮ／ＯＦＦ機能付電源回路を有し、マイコンの制御で簡単にチューナーの電源ＯＮ・ＯＦＦできる回路構成で、低消費電力化できるチューナ装置を提供することを目的とする。
【課題を解決するための手段】
【０００９】
本発明は、アンテナからの放送信号が入力される第１のチューナ手段と、前記第１のチューナ手段に接続された第２のチューナ手段とからなるチューナ装置であって、第１のチューナ手段には、前記アンテナから入力される放送信号を分配する第１の分配手段と、前記第１の分配手段で分配された一方の放送信号を増幅する第１の増幅手段と、前記第１の増幅手段からの放送信号を分配する第２の分配手段と、前記第２の分配手段で分配された一方の放送信号を増幅する第２の増幅手段と、前記第２の分配手段で分配された他方の放送信号を増幅する第３の増幅手段と、前記第２の増幅手段で増幅された放送信号を選局する選局手段と、前記第３の増幅手段で増幅された放送信号を前記第２のチューナ手段に出力する出力手段とを備えたものである。
【００１０】
これにより、分配回路で発生する信号ロスを補うために、それぞれの分配回路の後段に増幅回路を配置し、且つ  その「アンテナ１入力−出力３系統」の回路とチューナーを１枚のプリント基板内に収め、更に一つのシールドケース等に内蔵して１ユニット化する。又  互いのチューナー間での不要成分の流入・流出を防ぐために、互いのチューナーを動作させるために必要な、電源回路、制御マイコン等の回路をそれぞれ単独に持ち、独立した回路構成にしたこと、更に  それぞれの電源回路において、出力ＯＮ／ＯＦＦ機能を設けていること（機器の使用上チューナー受信が不必要な時に、チューナーの電源をＯＦＦすることができる）で低消費電力化を最も主要な特徴とする。
【発明の効果】
【００１１】
本発明のチューナ装置は、分配回路で発生する信号ロスを補うための増幅回路を設けているので、受信感度を落とすこと無く良好な受信が可能となる利点がある。且つ、その回路とチューナー回路を１枚のプリント基板内に収め、更に一つのシールドケースに内蔵して１ユニット化しているので構成面の簡素化を図ることができる。又  互いのチューナーを動作させるために必要な、電源回路、制御マイコン等の回路をそれぞれ独立に構成したことで、チューナー間での不要成分の流入・流出を互いに防ぐことができる、又ＯＮ／ＯＦＦ機能付電源回路を有し、マイコンの制御で簡単にチューナーの電源ＯＮ・ＯＦＦできる回路構成で、低消費電力化をという利点がある。
【発明を実施するための最良の形態】
【００１２】
本発明の請求項１〜６に記載の発明は、アンテナからの放送信号が入力される第１のチューナ手段と、前記第１のチューナ手段に接続された第２のチューナ手段とからなるチューナ装置であって、第１のチューナ手段には、前記アンテナから入力される放送信号を分配する第１の分配手段と、前記第１の分配手段で分配された一方の放送信号を増幅する第１の増幅手段と、前記第１の増幅手段からの放送信号を分配する第２の分配手段と、前記第２の分配手段で分配された一方の放送信号を増幅する第２の増幅手段と、前記第２の分配手段で分配された他方の放送信号を増幅する第３の増幅手段と、前記第２の増幅手段で増幅された放送信号を選局する選局手段と、前記第３の増幅手段で増幅された放送信号を前記第２のチューナ手段に出力する出力手段とを備えたものであり、これにより、アンテナ分配・増幅回路を１つのチューナーと一体化（１ユニット）させた第１チューナーユニットと、その第１チューナーユニットに第２チューナーユニットへ放送信号を供給するための出力の端子を設けることで、省スペース化と低コスト化を実現した。又  互いのチューナーを動作させるために必要な、電源回路、制御マイコン等の回路をそれぞれ独立に構成したことで、各々のチューナーから発生する不要成分の流入・流出による妨害を最低限に抑圧することができ妨害対策におけるフィルター等の電気部品の使用を最低限に抑え妨害除去を実現した。
【００１３】
（実施の形態１）
図１は、本発明の実施の形態１の構成を示すブロック図であって、１は放送波を受信可能なアンテナ１００に接続され放送波が入力されるアンテナ入力端子、２はアンテナ入力端子から入力される放送電波を２分配する第１の分配手段である第１の分配回路、３は第１の分配回路２で発生する信号ロスを信号増幅することで補正する第１の増幅手段である第１の増幅回路、４は第１の増幅回路３から出力される信号を２分配する第２の分配手段である第２の分配回路、５と６は第２の分配回路４で発生する信号ロスを信号増幅することで補正する第２及び第３の増幅手段である第２及び第３の増幅回路、７は第２の増幅回路５からの信号から放送チャンネルを選局し映像・音声信号を作り出す第１のチューナー／ＩＦ／復調回路、８は第２チューナーユニット１１へ放送信号を供給するための第１のアンテナ出力端子、９は第１分配回路２から出力された放送信号をテレビ等の外部放送受信機器へ信号を供給するための第２のアンテナ出力端子、１０は１〜９までの機能・回路を集合させた第１のアンテナ回路内蔵チューナーユニットである第１のチューナーユニットで、第１のチューナ手段に相当する。１１は第２の分配回路４で分配され増幅された放送信号を入力して放送チャンネルを選局する第２のチューナーユニットで、第２のチューナ手段に相当する。１０１は第１のチューナユニット１０に接続され映像信号を映出可能なテレビジョン受像機である。
【００１４】
以上のように構成された本実施の形態のテレビ放送受信装置について、以下その動作について説明する。
【００１５】
まず、第１のチューナーユニット１０と第２のチューナーユニット１１は、映像機器（例えば、ＤＶＤレコーダーや、ＤＶＤ／ＨＤＤの融合機など）の同一筐体内に配されているものとする。
【００１６】
アンテナ１００で受信した放送電波は、例えばアンテナケーブル（同軸ケーブル）を介してアンテナ入力端子１から入力され、第１の分配回路２に入力される。第１の分配回路２では入力される放送信号を２分配し、第１の増幅回路３と第２のアンテナ出力端子９に出力する。第２のアンテナ出力端子９には、同軸ケーブルを介してテレビジョン受像機１０１が接続されており、第１の分配回路２で分配された放送信号に基づき、所望のチャンネルを選択して映像を表示可能となっている。なお、テレビジョン受像機１０１には増幅回路が内蔵されているため、第１の分配回路２からの出力は増幅せずに出力している。
【００１７】
一方、第１の増幅回路３では、第１の分配回路２で減衰した放送信号を増幅し、第２の分配回路４に出力している。第２の分配回路４では放送信号を２分配し、第２及び第３の増幅回路５及び６に出力し、第２の分配回路４で減衰した放送信号を、それぞれの増幅回路５および６にて所定量増幅を行う。第２の増幅回路５で増幅された放送信号は、チューナー／ＩＦ部７に入力され、所望のチャンネルを選局し、映像音声信号を生成して記録手段（図示せず）に出力している。ここで記録手段とは、例えばＤＶＤなどの光ディスクに映像音声信号を記録する手段でもよいし、ＨＤＤなどの密閉型記録媒体に映像音声信号を記録する手段でもよいし、他にはビデオテープレコーダーやメモリカード記録再生手段であっても構わない。本実施の形態では、ビデオテープレコーダーとする。
【００１８】
第２の分配回路４から出力され第３の増幅回路６に入力された放送信号は、所定量増幅され、第１のアンテナ出力端子８から第２のチューナーユニット１１に出力される。第２のチューナーユニット１１では、入力される放送信号から、所望のチャンネルを選局し、映像音声信号を生成して記録手段（図示せず）に出力している。ここで記録手段とは、例えばＤＶＤなどの光ディスクに映像音声信号を記録する手段でもよいし、ＨＤＤなどの密閉型記録媒体に映像音声信号を記録する手段でもよいし、他にはビデオテープレコーダーやメモリカード記録再生手段であっても構わない。本実施の形態では、光ディスクに映像音声信号を記録可能なＤＶＤレコーダーとする。
【００１９】
このような構成にすることで、第１のチューナーユニット１０におけるチューナ／ＩＦ部７と第２のチューナーユニット１１とで、それぞれ独立して放送信号を受信及び選局することができ、異なる記録媒体に同時に異なる番組を記録することができる。例えば、同じ時間帯に異なるチャンネルで放送されている第１の番組と第２の番組とを、本実施の形態の場合、第１のチューナーユニット１０で選局した第１の番組をビデオテープレコーダーにてビデオテープに記録し、第２のチューナーユニット１１で選局した第２の番組をＤＶＤレコーダーにてＤＶＤディスクに記録することができる。
【００２０】
本回路は、第１及び第２の分配回路２及び４で理論的にそれぞれ３ｄＢ以上発生する信号の減衰、いわゆる信号の分配ロスを、それぞれの分配回路の後段に配した第１〜第３の増幅回路３，５，６で減衰した信号を増幅補正をかける。例えば、分配回路で３ｄＢのロスが発生するならば、後段の増幅回路で３ｄＢの増幅補正を行うことで、減衰無くチューナー回路へ放送信号を入力することが可能となり、分配ロスによって受信感度が落ちることが無く、いわゆる放送電波が弱い地域において受信映像にノイズがでやすい現象を抑圧する効果がある。
【００２１】
図２は、本実施の形態の構成を模式的に示したものであって、１はアンテナ入力端子、９は放送信号をテレビ等、他の放送受信機器へ供給するための第２のアンテナ出力端子、８は第２のチューナーユニット部１１へ信号を供給するための第１のアンテナ出力端子、１０は上記回路形態１〜９までの機能・回路を集合させた第１のチューナーユニット、１２は第２のチューナーユニット１１へ放送信号を入力するアンテナ入力端子、１３は第１のアンテナ出力端子８とアンテナ入力端子１２を接続し放送信号を通過させるケーブルで、同軸ケーブル又はそれに類するものである。
【００２２】
本実施の形態では、２つのチューナーユニット１０及び１１を、機器のメインプリント基板に実装し、それぞれのチューナユニット１０及び１１を、ケーブル１３で接続する。さらに、アンテナ入力端子１にアンテナ１００からのケーブルを接続し、第２のアンテナ出力端子９にテレビジョン受像機１０１に接続されたケーブルを接続する。
【００２３】
このように図２に示す本構成は、アンテナ分配回路・増幅回路及びチューナー部を第１のチューナユニット１０として一つのユニット内に構成し、従来図８に示すように３つのユニットが必要だった構成を、２つにすることで各ユニットを配置するためのメインプリント基板における実装面積を極力少なくすることができる。又  ユニット間の放送信号を供給するためのケーブルも、図８に示す従来構成では２本必要だったものを１本にすることができ、コストを削減できる効果がある。
【００２４】
次に、本実施の周辺回路システムの一例を説明する。
【００２５】
図３は、本実施の形態における周辺回路システムであって、１０は第１のチューナーユニット、１１は第２のチューナーユニットで、それぞれのユニットの内部構成については、図１を用いて前述したので本説明では概略表示した。２０は第１のチューナーユニット１０の電源ＯＮ／ＯＦＦ制御機能付の第１の電源回路、２１は第２のチューナーユニット１１の電源ＯＮ／ＯＦＦ制御機能付の第２の電源回路、２２は第１のチューナーユニット１０の放送チャンネル等の選局および第１の電源回路２０の電源ＯＮ／ＯＦＦ機能を制御している第１の制御手段である第１の制御マイコン、２３は第２チューナーユニット１１の放送チャンネル等の選局および第２の電源回路２１の電源ＯＮ／ＯＦＦ機能を制御している第２の制御手段である第２の制御マイコンで、第１の制御マイコン２２と第２の制御マイコン２３とで制御手段を構成している。２４は第１のチューナーユニット１０で得られた放送チャンネル情報等を記憶させる第１の記憶手段である第１のメモリー、２５は第２のチューナーユニット１１で得られた放送チャンネル情報を記憶させる第２の記憶手段である第２のメモリー、２６は第１のチューナーユニット１０で選局したチャンネルに放送信号が有るか無いかを判断するための第１の映像信号検出回路、２７は第２のチューナーユニット１１で選局したチャンネルに放送が有るか無いかを判断するための第２の映像信号検出回路である。
【００２６】
以上のように構成された周辺回路システムにおいて、電源回路は、第１のチューナーユニット１０及び第２のチューナーユニット１１用でそれぞれ必要な電源回路２０及び２１を単独に配し、その電源回路２０及び２１は、それぞれの制御マイコン２２及び２３で電源の出力をＯＮ／ＯＦＦすることができる。この電源回路２０及び２１の分離により、第１のチューナーユニット１０から第２のチューナーユニット１１あるいはその逆方向への回路上での不要成分流入・流出を防ぐことができ、妨害排除が可能であり、尚且つ電源回路の出力をＯＮ／ＯＦＦすることができるので、一方のチューナーを使用していない場合、そのチューナーの電源をＯＦＦすることができる、いわゆる消費電力を低減できる効果がある。
【００２７】
また、チューナー選局に必要な制御マイコン２２及び２３をそれぞれ単独に持つことで、電源回路２０及び２１の分離と同様に、第１のチューナーユニット１０から第２のチューナーユニット１１あるいはその逆方向への回路上での不要成分流入・流出を防ぐことができ妨害排除が可能となる。
【００２８】
次に、チューナーの選局方法について詳述する。
【００２９】
例えば日本の放送チャンネルは、ＶＨＦ／ＵＨＦ／ＣＡＴＶ合わせて１００チャンネル以上にもなる、しかし、実際の放送は全チャンネル行われてなく、地域によって受信チャンネルに統一性がないので、実際に放送されているチャンネルを選んで機器に設定しなければならない。使用者がひとつずつチャンネルを設定することは、非常に面倒で且つそれなりの知識を要する。そこで  大半のテレビ放送受信機内蔵の機器は、「チューナープリセット」又は「オートチャンネルサーチ」などと呼ばれている自動選局機能を有している。
【００３０】
簡単に説明すると、周波数の低い下側のチャンネルからある一定時間の間隔で、１チャンネルずつ上側チャンネルを選局していく、その時、図３の映像信号検出回路２６及び２７で、「映像信号有り」と判断したチャンネルのみ、データーとしてメモリー２４及び２５に、放送有りのチャンネルデーターのみを記憶させる方法である。例えば、最も周波数が低いチャンネル「１」から選局を開始していき、チャンネル「２」を選局した時に映像信号を検出した時、映像信号検出回路２６及び２７が「映像信号有り」と判断し、チャンネル「２」をデーターとしてメモリ２４及び２５に記憶する。次にチャンネル「３」から選局を開始し、チャンネル「４」を選局した時に映像信号を検出すると、前記同様、データとしてメモリ２４及び２５にチャンネル「４」を記憶する。
【００３１】
本実施の形態のように２つのチューナーを有している機器の場合、互いのチューナー選局チャンネルデーターは、当然全く同一のデーターで無ければならないわけだが、電波状況によっては、第１のチューナーでは受信できたチャンネルが第２のチューナーでは受信できていない可能性が充分考えられるため、今回の実施形態としては、まず第１の制御マイコン２２で第１のチューナーユニット１０を自動選局制御し、第１の映像信号検出回路２６で「放送信号有り」と判断したチャンネルデーターを第１のメモリー２４で記憶する。同じ要領で複数のチャンネルデーターを記憶していき、全チャンネルの自動選局が終了したら、第１のメモリー２４に記憶した「放送信号有り」の全チャンネルデーターを第２の制御マイコン２３へデーター通信し、第２のメモリー２５に記憶させる。この方法で、必ず第１のチューナーユニット１０と第２のチューナーユニット１１のチャンネル選局データーは全く同一となる。これは、第１と第２チューナーの選局順序が逆でも全く同様の結果が得られる。
【００３２】
又、他の方法として、２つのチューナーと２つの制御マイコン等を搭載していることを利用して自動選局に有する時間を短縮する方法が考えられる、全放送チャンネル数を２つに区分し、例えば第１チューナーは、放送チャンネルの下側（低い周波数）から選局を開始し、同時に第２チューナーは、放送チャンネルの上側（高い周波数）から選局を開始する方法である。要するに、二つのチューナーでそれぞれのチューナーに割り与えられた半分づつのチャンネルを自動選局する方法である。簡単に説明すると、例えば自動選局をしなければならないチャンネルがチャンネル「１」〜「１００」の１００チャンネルあった場合、第１チューナーは、下側のチャンネル「１」から上側へ選局を開始しチャンネル「５０」で終了、それと同時に第２チューナーは、上側のチャンネル「１００」から下側に選局を開始しチャンネル「５１」で終了させる。これで１００チャンネルの自動選局が済むことになる。その後、それぞれ自動選局で得たチャンネルデーター情報を第１及び第２の制御マイコン２２及び２３でデーター通信し、総合したデーターをそれぞれ第１及び第２のメモリー２４及び２５へ記憶させる。これにより自動選局時間を約半分に短縮することが可能となる。
【００３３】
要は、放送の全チャンネルを２つ区分して、二つのチューナーで同時にそれぞれ割り与えたチャンネルを自動選局させる方法である。
【００３４】
図４は、更なる省スペース化と低コスト化への形態である。
【００３５】
図４において、４１〜４９及び１００〜１０１は前述の実施の形態１で説明した図１の１〜９及び１００〜１０１の構成と同様のものであるので、詳細な説明は省略する。異なるのは、図１における出力端子８を無くすとともに、図１で記載した第２のチューナーユニット１１内と同様の回路を、第２のチューナ／ＩＦ／復調回路４３０として第３のチューナーユニット４３１に内蔵し、１ユニット化した点である。
【００３６】
これにより、図２の構成面で記載した、第２のチューナーユニット１１へ信号を供給するための出力端子８と、第２のチューナーユニット１１へ放送信号を入力する入力端子１２と、出力端子８と入力端子１２とを接続し放送信号を通過させるケーブル１３（同軸ケーブル又はそれに類するもの）を削減できる効果がある。
【００３７】
さらに、機器のメインプリント基板において、２つのチューナユニットを実装する面積が必要だったが、本実施の形態の構成にすることで、第３のチューナユニット４３１のみを実装する面積だけですむので、メインプリント基板における占有面積を削減することができ、機器の小型化に貢献することができる。
【００３８】
図５は、将来のデジタル放送受信装置に関する実施形態である。
【００３９】
デジタル放送が開始され、完全にデジタル放送時代になるまでは、現在のアナログ放送とデジタル放送が同時に放送されることになる。その時、テレビ放送受信装置を搭載している機器は、アナログ放送とデジタル放送を両方受信できるテレビ放送受信装置の搭載が必須と考えられる。実施の形態３は、アナログとデジタル放送を両立するための形態である。
【００４０】
本実施の形態では、図２で記載した第１のチューナーユニット１０はアナログ放送受信手段として使用し、デジタル放送を受信する手段としてデジタルチューナを内蔵した第４のチューナユニット３２を設けたことで、アナログ放送でもデジタル放送でも、どちらでも受信することが可能となる。
【００４１】
なお、アンテナ１００及びテレビジョン受像機１０１との接続、第１のチューナユニット１０と第４のチューナユニット３２との接続にケーブル１３を用いた点などは、図２に示す実施の形態１と同様であるので、詳しい説明は省略する。
【００４２】
図６は、前記したがアナログ放送とデジタル放送を両方受信するための形態で、図４で記載した第２のチューナー／ＩＦ／復調回路４３０の代わりに、デジタル放送を受信するためのデジタルチューナー回路／ＩＦ／デジタル復調回路６３３を、第５のチューナユニット６３４（第１のチューナーユニット１０に相当）へ内蔵し、１ユニット化する。
【００４３】
デジタル放送受信におけるデジタル復調回路は回路規模が大きいので、チューナー回路／ＩＦ回路までを、第１のチューナーユニット１０へ内蔵する形態もある。この方法で実施形態３よりも、実施形態２と同様に更なる省スペース化と抵抗コスト化を実現することが可能となる。
【産業上の利用可能性】
【００４４】
本発明にかかるテレビ放送受信装置は、二つ以上の記録媒体を有する記録融合商品並びに２画面表示等がが可能なテレビシステム、パソコン、更にテレビ放送信号に入っている番組一覧表情報等を受信するために２つのチューナーを搭載している機器において、重複する時間において別々の放送チャンネルの番組を同時間に視聴・記録する用途に適用できる。
【図面の簡単な説明】
【００４５】
【図１】本発明の実施の形態１に於けるチューナ装置の構成を示すブロック図
【図２】同実施の形態に於けるチューナ装置の接続構成を示す模式図
【図３】同実施の形態におけるチューナー周辺回路システムに於ける構成を示したブロック図
【図４】同実施の形態に於ける他の構成を示すブロック図
【図５】同実施の形態に於ける他の構成を示した模式図
【図６】同実施の形態に於ける他の構成を示したブロック図
【図７】従来の構成に於ける実施方法を示したブロック図
【図８】従来の構成に於ける実施方法を示した模式図
【図９】アンテナとテレビジョン受像機との接続構成を示すブロック図
【符号の説明】
【００４６】
１    アンテナ入力端子
２    第１の分配回路
３    第１の増幅回路
４    第２の分配回路
５    第２の増幅回路
６    第３の増幅回路
７    第１のチューナー／ＩＦ／復調回路
８    第１のアンテナ出力端子
９    第２のアンテナ出力端子
１０    第１のチューナーユニット
１１    第２のチューナーユニット
１２    第２のチューナーユニットのアンテナ入力端子
１３    ケーブル
１４    第３のアンテナ出力端子
【図１】
2005130240.tif 000003
【図２】
2005130240.tif 000004
【図３】
2005130240.tif 000005
【図４】
2005130240.tif 000006
【図５】
2005130240.tif 000007
【図６】
2005130240.tif 000008
【図７】
2005130240.tif 000009
【図８】
2005130240.tif 000010
【図９】
2005130240.tif 000011